(57)【要約】【課題】  高い非線形で非線形作用長が長く、長尺にわたり位相整合条件を満たす非線形現象の高効率発生が可能な高非線形性デバイスを提供すること。【解決手段】  希土類元素を添加した、高非線形ガラスファイバ１ガラスを備える。この高非線形ガラスファイバ１には、コアに相当する部分の周囲にエアホールを複数設けたクラッドを有し、希土類元素の増幅可能な波長帯域近傍に零分散波長を有する光ファイバである。また、高非線形ガラスファイバ１に添加された希土類元素を励起する励起光を出力する励起用光源３と、高非線形ガラスファイバ１の出力側に接続され、励起用光源３から出力される励起光を高非線形ガラスファイバ１に入力し、かつ高非線形ガラスファイバ１からの出力光を出力する波長多重カプラ２とを備える。【選択図】  図１
2006078694.tif 000002
【特許請求の範囲】
【請求項１】
希土類元素を添加した、石英ガラスよりも高い非線形を有するホストガラスを含む光ファイバであって、コアに相当する部分の周囲にエアホールを複数設けたクラッドを有し、前記希土類元素の増幅可能な波長帯域近傍に零分散波長を有する光ファイバと、
前記光ファイバに添加された希土類元素を励起する励起光を出力する光源と、
前記光ファイバの出力側に接続され、前記光源から出力される前記励起光を前記光ファイバに入力し、かつ前記光ファイバからの出力光を出力する手段と
を備えることを特徴とする高非線形性デバイス。
【請求項２】
前記エアホールの屈折率は略１であることを特徴とする請求項１記載の高非線形性デバイス。
【請求項３】
前記手段は、波長多重カプラであることを特徴とする請求項１または２記載の高非線形性デバイス。
【請求項４】
前記手段に接続され、前記手段への戻り光を阻止するアイソレータをさらに備えることを特徴とする請求項１乃至３のいずれかに記載の高非線形性デバイス。
【請求項５】
前記ホストガラスは、テルライトガラス、鉛ガラスまたはビスマスガラスのいずれかであることを特徴とする請求項１乃至４のいずれかに記載の高非線形性デバイス。
【請求項６】
前記希土類元素は、エルビウムであることを特徴とする請求項１乃至５のいずれかに記載の高非線形性デバイス。
【請求項７】
前記光ファイバの零分散波長が、１．５μｍ〜１．６５μｍになるように、前記コアに相当する部分の外径、前記エアホールの内径および前記クラッドに形成された複数のエアホールのうちの隣り合うエアホール間の距離が調節されることを特徴とする請求項１乃至６のいずれかに記載の高非線形性デバイス。
【請求項８】
前記光ファイバの入力側に接続された、入力光をタップし、該タップされた入力光と前記光ファイバへの入力光とを分岐して出力する第１の分岐手段と、
前記手段の出力側に接続された、前記手段からの出力光をタップし、該タップされた出力光と前記出力光とを分岐して出力する第２の分岐手段と、
該第２の分岐手段に接続され、該第２の分岐手段から出力された出力光を所定の波長毎に分岐してそれぞれ対応する出力ポートから出力する分波手段と、
前記第１の分岐手段と前記分波手段と前記光源とに接続され、前記第１の分岐手段から入力された入力光のパワーをモニターすることによって前記光源の励起光パワーを所望に応じて調整する第１の機能と、前記出力ポートによって出力光の波長帯域をモニターし、前記光源の励起光パワーを調整する第２の機能とを有する調整手段と
をさらに備えることを特徴とする請求項１乃至７のいずれかに記載の高非線形性デバイス。
【請求項９】
前記分波手段は、アレイ導波路格子であることを特徴とする請求項８記載の高非線形性デバイス。
【請求項１０】
前記第１および第２の分岐手段は、該分岐手段に入力される入力光をタップするカプラであることを特徴とする請求項８または９記載の高非線形性デバイス。
【発明の詳細な説明】
【技術分野】
【０００１】
本発明は、波長変換や広帯域な周波数成分を有する光を高効率に発生する高非線形性デバイスに関する。
【背景技術】
【０００２】
近年の高度情報化から、文字、静止画、動画および音声等、大容量な情報を伝送できる波長多重伝送システムが望まれている。このようなシステムを実現するために、種光パルスから、広帯域な波長幅を有する光パルスであるスーパーコンティニアム（ＳＣ）光を発生する光源が注目されている。
【０００３】
このような光源として、数ｐｓの種光パルスを発生する、光ファイバモード同期リング型レーザ（ＦＭＲＬ）や半導体モードロックレーザ（ＭＬＬＤ）によって種光パルスを発生し高出力光増幅器によって増幅して、光非線形現象を誘起する非線形媒質に入力することによって、広帯域な周波数成分を持つスーパーコンティニアム（ＳＣ）光を発生させる、スーパーコンティニアム光源が報告されている（非特許文献１）。非線形媒質としては、種光パルスにおいて零分散を有する三次分散が広帯域にわたって小さく、かつ光ファイバの長手方向で分散が減少する石英系の光ファイバが用いられている。
【０００４】
【非特許文献１】K. Mori et.al, 「Supercontinuum lightwave source generating 50GHz spaced optical ITU grid seamlessly over S-, C- and L-bands」,Electron. Lett. vol 39, No.6, 2003
【発明の開示】
【発明が解決しようとする課題】
【０００５】
従来の非線形媒質は、石英ガラスからなるファイバを用いていた。これは、入射光強度を考慮し、非線形は他の材質のガラスより低いが、低損失特性によりファイバの長尺化が可能なためである。しかし、長尺のファイバは安定性とサイズに問題があり、特に、短尺化のために、ファイバ断面における光の閉じ込め効果を高くしなければならなかった。
【０００６】
また、テルライトガラス、鉛ガラス、ビスマスガラス等の高非線形ガラスは、石英ガラスと比較して伝播損失が高いために、非線形現象を誘起できる非線形作用長を長く取ることが困難であり、それを補うために、短いファイバで非線形現象を誘起できる高出力の入力パワーが必要であった。さらに、上記高非線形ガラスは、通信波長帯（１．５５μｍ帯）よりも長波長帯（２μｍ近傍）に零分散波長を有している。そのため、その分散特性から位相整合条件を満たすことが困難であり、非線形現象の高効率発生が困難であった。
【０００７】
本発明は、このような問題に鑑みてなされたもので、その目的とするところは、高い非線形で非線形作用長が長く、長尺にわたり位相整合条件を満たす非線形現象の高効率発生が可能な高非線形性デバイスを提供することにある。
【課題を解決するための手段】
【０００８】
本発明は、このような目的を達成するために、請求項１記載の発明は、希土類元素を添加したホストガラスを含む光ファイバであって、コアに相当する部分の周囲にエアホールを複数設けたクラッドを有し、前記希土類元素の増幅可能な波長帯域近傍に零分散波長を有する光ファイバと、前記光ファイバに添加された希土類元素を励起する励起光を出力する光源と、前記光ファイバの出力側に接続され、前記光源から出力される前記励起光を前記光ファイバに入力し、かつ前記光ファイバからの出力光を出力する手段とを備えることを特徴とする。
【０００９】
請求項２記載の発明は、請求項１記載の発明において、前記エアホールの屈折率は略１であることを特徴とする。
【００１０】
請求項３記載の発明は、請求項１または２記載の発明において、前記手段は、波長多重カプラであることを特徴とする。
【００１１】
請求項４記載の発明は、請求項１乃至３のいずれかに記載の発明において、前記手段に接続され、前記手段への戻り光を阻止するアイソレータをさらに備えることを特徴とする。
【００１２】
請求項５記載の発明は、請求項１乃至４のいずれかに記載の発明において、前記ホストガラスは、テルライトガラス、鉛ガラスまたはビスマスガラスのいずれかであることを特徴とする。
【００１３】
請求項６記載の発明は、請求項１乃至５のいずれかに記載の発明において、前記希土類元素は、エルビウムであることを特徴とする。
【００１４】
請求項７記載の発明は、請求項１乃至６のいずれかに記載の発明において、前記光ファイバの零分散波長が、１．５μｍ〜１．６５μｍになるように、前記コアに相当する部分の外径、前記エアホールの内径および前記クラッドに形成された複数のエアホールのうちの隣り合うエアホール間の距離が調節されることを特徴とする。
【００１５】
請求項８記載の発明は、請求項１乃至７のいずれかに記載の発明において、
前記光ファイバの入力側に接続された、入力光をタップし、該タップされた入力光と前記光ファイバへの入力光とを分岐して出力する第１の分岐手段と、前記手段の出力側に接続された、前記手段からの出力光をタップし、該タップされた出力光と前記出力光とを分岐して出力する第２の分岐手段と、該第２の分岐手段に接続され、該第２の分岐手段から出力された出力光を所定の波長毎に分岐してそれぞれ対応する出力ポートから出力する分波手段と、前記第１の分岐手段と前記分波手段と前記光源とに接続され、前記第１の分岐手段から入力された入力光のパワーをモニターすることによって前記光源の励起光パワーを所望に応じて調整する第１の機能と、前記出力ポートによって出力光の波長帯域をモニターし、前記光源の励起光パワーを調整する第２の機能とを有する調整手段とをさらに備えることを特徴とする。
【００１６】
請求項９記載の発明は、請求項８記載の発明において、前記分波手段は、アレイ導波路格子であることを特徴とする。
【００１７】
請求項１０記載の発明は、請求項８または９記載の発明において、前記第１および第２の分岐手段は、該分岐手段に入力される入力光をタップするカプラであることを特徴とする。
【発明の効果】
【００１８】
以上説明したように、本発明によれば、非線形作用長が長く高い非線形の光ファイバを提供することができ、長尺にわたり位相整合条件を満たす非線形現象の高効率発生が可能になる。
【発明を実施するための最良の形態】
【００１９】
以下、図面を参照して本発明の実施形態を詳細に説明する。なお、以下で説明する図面で、同一機能を有するものは同一符号を付け、その繰り返しの説明は省略する。
【００２０】
本発明の一実施形態において、解決すべき主要な目的は以下の通りである。  
本発明の第１の目的は、これまで提案されてきた非線形媒質として非線形作用長を長く取れる石英ガラスによる光ファイバが一般的に用いられてきたが、本発明の一実施形態では、非線形媒質として、高非線形ガラスを用いた光ファイバに希土類元素を添加したものを用い、この添加された希土類元素を励起して損失を補償することで、非線形作用長の長い高非線形ガラスによる光ファイバを提供することにある。
【００２１】
本発明の第２の目的は、高非線形ガラスを用いた非線形媒質を適用し、コンパクトで安定性に優れた高非線形性デバイスを提供することにある。このため、本発明の一実施形態では、テルライトガラス、鉛ガラス、ビスマスガラス等の、石英ガラスと比較して非線形が２桁以上高い高非線形性デバイスを提供することにある。
【００２２】
上記の高非線形ガラスは、通信波長帯（１．５５μm帯）よりも長波長帯（２μm近傍）に零分散波長（材料分散が零となる波長）を有しているために、その分散特性から位相整合条件を満たすことが困難であり、非線形現象の高効率発生が困難であった。そこで、本発明の第３の目的は、本発明の一実施形態に係る光ファイバについて、ファイバ断面にエアホールを有する構造とすることで、通信波長帯に零分散波長を有しかつ三次分散の小さいファイバとし、長尺にわたり位相整合条件を満たす非線形現象の高効率発生が可能な高非線形性デバイスを提供することにある。
【００２３】
本発明のその他の目的は、明細書、図面、特に特許請求の範囲の各請求項の記載から明らかである。
【００２４】
なお、本明細書において、「非線形作用長」とは、光ファイバの所定の長さに対する、該所定の長さの光ファイバのうちの非線形現象を誘起できる部分の長さの割合のことを指す。また、「非線形」とは、光ファイバの屈折率が、入力された光の強度に応じて変化する現象のことを指す。「高非線形」とは、石英ガラスの非線形よりも高い非線形のことを指す。
【００２５】
図１は、本発明の一実施形態に係る高非線形性デバイスの構成例を示す図である。図１において、希土類元素を添加した高非線形を有するホストガラスからなる、高非線形ガラスファイバ１は、一方端が光源やタップ用カプラ等の光パルス等の入力光を高非線形ガラスファイバ１に入力する入力手段（図１には不図示）に接続され、他方端には、少なくとも１つの入力端子に入力した光を２つ以上の出力端子に出力する光分岐機能と、２つ以上の入力端子に入力した光を少なくとも１つ以上の出力端子に出力する光結合機能とを有する手段としての波長多重カプラ２の入力側に接続されている。波長多重カプラ２の出力側には、タップ用カプラ等の波長多重カプラ２からの出力光を出力する出力手段（図１には不図示）が接続されている。本実施形態では、高非線形ガラスファイバ１はテルライトガラスからなる。また、テルライトガラスからなる高非線形ガラスファイバ１に添加された希土類元素はエルビウムである。
【００２６】
また、波長多重カプラ２には、さらに、高非線形ガラスファイバ１に添加されたエルビウムを励起する光を照射する励起用光源３が接続されている。このとき、励起用光源３から出力された励起光が波長多重カプラ２により高非線形ガラスファイバ１に入力されて、該ファイバに添加されたエルビウムを励起するように、励起用光源３は波長多重カプラ２に対して接続されている。
【００２７】
なお、上記高非線形ガラスファイバ１に含まれるテルライトガラスは、ＴｅＯ２−Ｂｉ２Ｏ３−ＬＯ−Ｍ２Ｏ−Ｑ２Ｏ３−Ｒ２Ｏ５からなる組成を有し、ここで、ＬはＺｎ、Ｂａ、Ｍｇのうち少なくとも１種類以上であり、ＭはＬｉ、Ｎａ、Ｋ、Ｒｂ、Ｃｓのうち少なくとも１種類以上であり、ＱはＢ、Ｌａ、Ｇａ、Ａｌ、Ｙのうち少なくとも１種類以上であり，ＲはＰ、Ｎｂのうち少なくとも１種類以上である。ＴｅＯ２とＢｉ２Ｏ３は、本発明の一実施形態において高非線形性をもたらす必須成分であり、以上の点から、  
５０＜ＴｅＯ２＜９０（モル％）  
１＜Ｂｉ２Ｏ３＜３０（モル％）  
１＜ＬＯ＋Ｍ２Ｏ＋Ｑ２Ｏ３＋Ｒ２Ｏ５＜５０（モル％）
の範囲にあることが必要となる。
【００２８】
次に、上述した構成の高非線形性デバイスの動作を説明する。
【００２９】
入力手段からの入力光は、高非線形ガラスファイバ１に入力される。このとき、励起用光源３より照射された励起光は、波長多重カプラ２を介して高非線形ガラスファイバ１に入力されて、高非線形ガラスファイバ１に添加されたエルビウムを励起する。よって、高非線形ガラスファイバ１への入力光は、添加されたエルビウムが励起された高非線形ガラスファイバ１を通過することになる。高非線形ガラスファイバ１を通過した光は、波長多重カプラ２を介して出力手段へと出力される。
【００３０】
本発明の一実施形態において、高非線形ガラスファイバ１に添加される希土類元素としては、好ましくは１．５５μｍ帯に増幅帯域を有するエルビウムを用いることができるが、ランタン、セリウム等他の希土類元素を用いても良い。このとき、添加された希土類元素に応じて励起用光源を選べばよいことは言うまでもない。
【００３１】
また、高非線形ガラスファイバ（非線形媒質）は、テルライトガラスを好ましく用いることができるが、他に、鉛ガラスやビスマスガラスを用いることができる。すなわち、非線形ガラスファイバ（非線形媒質）は、高非線形を有し、かつ零分散波長が入力光波長の近傍にあればよい。
【００３２】
また、図１では、高非線形ガラスファイバ１について、ファイバ断面にエアホールを有するホーリーファイバとすることで、通信波長帯において広帯域な零分散を実現している。「ホーリーファイバ」とは、ファイバ内部の長手方向にエアホール（空孔）を多数有する光ファイバのことである。
【００３３】
すなわち、本発明の一実施形態は、図１に示した構成に限定されるものではなく、使用する入力光の波長に利得を有する希土類元素を添加した光ファイバと該希土類元素の励起用光源とを有し、光ファイバの零分散波長が入力光の波長近傍にあればよい。また、順方向の光パルスを通過させ、逆方向の光パルスは遮断する機能（戻り光を阻止する機能）を有する手段としてのアイソレータを、波長多重カプラと出力手段との間の挿入し戻り光を抑制する構成も効果的である。
【００３４】
図２は、本発明の一実施形態に係る高非線形性デバイスに用いた希土類元素を添加した高非線形ガラスファイバの断面の一例を示す図である。図２において、本発明の一実施形態に係る高非線形ガラスファイバ１（ホーリーファイバ）は、光ファイバのコアの部分に相当する領域であるコア領域９と、コア領域９を包囲するように配設されて、コア領域９の軸方向に沿った円形のエアホール８をコア領域９の周方向にわたって複数有する第一のクラッド部１０と、第１のクラッド部１０を包囲するように配設されて、第一のクラッド部１０の等価屈折率と略等しい屈折率を有する第２のクラッド部１１とを備えている。なお、本明細書において、「等価屈折率」とは、光に実質的に作用する屈折率のことを指す。
【００３５】
第１のクラッド部１０のエアホール８は、コア領域９の周方向に沿って一定の間隔で複数（図２では６つ）形成されている。第１のクラッド部１０のエアホール８は、内部が空気で満たされており、屈折率が真空の屈折率である１と略等しい大きさとなっている。
【００３６】
本発明の一実施形態では、コア領域９の周方向に沿って隣り合うエアホール８同士の距離（ピッチ間隔とも呼ぶ）、コア領域９の外径およびエアホールの内径を適切に調節して、零分散波長を１．５〜１．６５μｍにすることが好ましい。  
また、エアホール８の数や形状等は、第１のクラッド部１０の等価屈折率が第２のクラッド部１１の等価屈折率と略等しくなるように適宜選択されるものである。  
さらに、エアホール８の内部に、第２のクラッド部の屈折率よりも低い屈折率を有する材料を充填しても良い。
【００３７】
すなわち、本発明の一実施形態において、高非線形ガラスファイバの構造は上述に限定されものではなく、希土類の利得帯域の近傍に零分散波長がシフトできるような構造であれば良い。
【００３８】
図３は、本発明の一実施形態に係る高非線形性デバイスに用いた希土類元素を添加した高非線形ガラスファイバの分散特性を示す図である。また、図４は、本発明の一実施形態に係る、希土類元素を添加した高非線形ガラスファイバの自然放出光のスペクトル波形を示す図である。
【００３９】
図３および図４において、図１に示すような構成の高非線形性デバイスにおいて、高非線形ガラスファイバ１は、その長さを５０ｍとし、ホーリーファイバとしている。さらに、励起用光源３を、励起波長１．４８μｍの半導体レーザとしている。
【００４０】
なお、励起用光源３としての励起レーザはこれに限定されるものではなく、添加した希土類元素を励起し入力光を増幅できるものであればいずれでも良い。
【００４１】
図３に示されるように、本発明の一実施形態に係る高非線形性デバイスを用いれば、特定の波長領域において分散が平坦となり、広帯域な零分散波長域を実現することができる。すなわち、高非線形ガラスファイバ１にエアホールを設け、エアホールのピッチ間隔、コア領域の外径およびエアホールの内径を調節することで、分散特性を制御することができる。
【００４２】
また、従来ではテルライトガラスやビスマスガラス、鉛ガラス等の高非線形ガラスは石英ガラスと比較して損失が大きく、ファイバ長を長くしても非線形作用長が大きくならない問題があったが、本発明の一実施形態において、希土類元素を添加して増幅機能を持たせることで非線形作用長を長くすることが可能となる。
【００４３】
なお、高非線形ガラスファイバ１に添加する希土類元素の濃度は、高非線形ガラスファイバ１の長さに逆比例するようにする。具体的には、５ｍでは４０００ｐｐｓ程度、５０ｍでは４００ｐｐｍ穆度、５００ｍでは４０ｐｐｍ程度でよい。なお、上記添加濃度はこれに限定されるものではなく、全ファイバにおいて損失が補償できるか、または利得が得られればよい。
【００４４】
図５は、本発明の一実施形態に係る高非線形性デバイスの構成例を示す図である。図５において、図１で説明した高非線形性デバイスと同様の構成についてはその説明を省略する。
【００４５】
図１に示した構成の高非線形性デバイスの高非線形ガラスファイバ１の入力側にはアイソレータ５ａが、また波長多重カプラ２の出力側にはアイソレータ５ｂがそれぞれ接続されている。さらに、アイソレータ５ａの入力側には、タップ用カプラ４ａの第１の出力端が、またアイソレータ５ｂの出力側にはタップ用カプラ４ｂがそれぞれ接続されている。なお、本明細書において、「タップ」とは、光ファイバから所定の光学的な信号を取り出すための手段のことを指す。
【００４６】
タップ用カプラ４ａの第２の出力端には、励起用光源３の励起光パワーを制御するための手段としてのフィードバック回路６が接続されている。一方、タップ用カプラ４ｂの第１の出力端からアイソレータ５ｂからの出力光を出力する。また、タップ用カプラ４ｂ第２の出力端は、光導波路型の光合分波器であるアレイ導波路格子７が接続されている。アレイ導波路格子７は、さらにフィードバック回路６に接続されており、フィードバック回路６は、励起用光源３に接続されている。すなわち、アレイ導波路格子７から生成された出力光の波長帯域をモニターしてフィードバック回路６によって出力用光源３の出力を安定化する構成となっている。
【００４７】
なお、アレイ導波路格子７では、周波数成分によって出カポートが異なるために、外乱によって生じた出カスペクトルの変化を出カポートの位置によって識別することが可能である。
【００４８】
次に、図５に示した構成の高非線形性デバイスの動作を説明する。  
タップ用カプラ４ａに入力した入力光は、アイソレータ５ａおよびフィードバック回路６へと分岐される。このとき、フィードバック回路６により、入力光のパワーをモニターすることで励起用光源３からの励起光のパワーを制御している。アイソレータ５ａへの入力光は、高非線形ガラスファイバ１に入力される。このとき、励起用光源３より照射された励起光は、波長多重カプラ２を介して高非線形ガラスファイバ１に入力されて、高非線形ガラスファイバ１に添加されたエルビウムを励起する。よって、高非線形ガラスファイバ１への入力光は、添加されたエルビウムが励起された高非線形ガラスファイバ１を通過することになる。
【００４９】
高非線形ガラスファイバ１を通過した光は、波長多重カプラ２を介してアイソレータ５ｂへと出力され、タップ用カプラ４ｂに入力される。タップ用カプラ４ｂへの入力光は、第１の出力端およびアレイ導波路格子７へと分岐される。このとき、アレイ導波路格子７のポート間の周波数間隔を５０Ｇｈｚとする。アレイ導波路格子７への入力光は、アレイ導波路格子７にて所定の周波数成分に分岐され、対応する出力ポートよりフィードバック回路６へと出力される。このとき、フィードバック回路６により、アレイ導波路格子７の出力ポートからの出力光の周波数成分をモニターして安定化のフィードバック制御を行い、励起用光源３の出力を制御している。
【００５０】
なお、本発明の一実施形態では、アレイ導波路格子７の周波数間隔は５０Ｇｈｚに限定されるものではなく、生成された広帯域な周波数成分の帯或がモニターできればよい。
【００５１】
以上説明したように、本発明によれば、伝搬損失の大きい高非線形ガラスを用いた光ファイバに希土類を添加し、損失を補償することで非線形作用長の長い高非線形ガラスによる光ファイバを提供することが可能となる。
【００５２】
さらに、上記の高非線形ガラスは零分散波長が通信波長帯（１．５５μm帯）よりも長波長帯（２μm近傍）に零分散波長を有しているために、その分散特性から位相整合条件を満たすことが困難であり、非線形現象の高効率発生が困難であったが、本発明では、用いる光ファイバについて、ファイバ断面にエアホールを有する構造とすることで通信波長帯に零分散波長を有しかつ三次分散の小さいファイバとし、長尺にわたり位相整合条件を満たす非線形現象の高効率発生が可能な非線形デバイスを実現することができる。
【００５３】
また、高非線形性ガラスを用いた非線形媒質を適用することで、コンパクトで安定性に優れた非線形デバイスを提供することができる。すなわち、本発明ではテルライトガラス、鉛ガラス、ビスマスガラス等の、石英ガラスと比較して非線形性が２桁以上高い高非線形ガラスを用いたデバイスを実現することができる。
【図面の簡単な説明】
【００５４】
【図１】本発明の一実施形態に係る高非線形性デバイスの構成例を示す図である。
【図２】本発明の一実施形態に係る高非線形性デバイスに用いた希土類元素を添加した高非線形ガラスファイバの断面の一例を示す図である。
【図３】本発明の一実施形態に係る高非線形性デバイスに用いた希土類元素を添加した高非線形ガラスファイバの分散特性を示す図である。
【図４】本発明の一実施形態に係る希土類元素を添加した高非線形ガラスファイバの自然放出光のスペクトル波形を示す図である。
【図５】本発明の一実施形態に係る高非線形性デバイスの構成例を示す図である。
【符号の説明】
【００５５】
１    高非線形ガラスファイバ
２    波長多重カプラ
３    励起用光源
４    タップ用カプラ
５    アイソレータ
６    フィードバック回路
７    アレイ導波路格子
【図１】
2006078694.tif 000003
【図２】
2006078694.tif 000004
【図３】
2006078694.tif 000005
【図４】
2006078694.tif 000006
【図５】
2006078694.tif 000007